【事件の表示】
　特許第３１４０４１７号「田植機の苗植付装置」の請求項１ないし４に係る特許に対する特許異議の申立てについて、次のとおり決定する。
【結　論】
　訂正を認める。
　特許第３１４０４１７号の請求項１ないし３に係る特許を維持する。
【理　由】
１．手続の経緯
　本件特許第３１４０４１７号の請求項１ないし３に係る発明についての出願は、平成４年２月２１日に出願された特願平４−３３９１２号の一部を平成１０年３月２４日に新たな特許出願とした特願平１０−７５２０１号であって、平成１２年１２月１５日にその発明について特許権の設定登録がなされ、その後、その特許について、異議申立人三菱農機株式会社より特許異議の申立てがなされ、取消の理由が通知され、その指定期間内である平成１４年２月１２日に訂正請求（後日取下げ）がなされた後、再度取消の理由が通知され、その指定期間内である平成１４年８月１９日に訂正請求がなされたものである。
　
２．訂正の適否についての判断
２−１．訂正の内容
（１） 訂正事項ａ
　特許請求の範囲の請求項１について、「左右方向に沿って横長の一体物で構成された横フレーム（７）を配置し、この横フレーム（７）に、苗を田面に植え付ける植付機構（３）を後部に備えた複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記支持フレーム（１２）に左右方向に往復横送り自在に支持させてある田植機の苗植付装置。」を、
「左右方向に沿って横長の一体物で構成された横フレーム（７）を配置し、この横フレーム（７）に、苗を田面に植え付ける植付機構（３）を後部に備えて植付条間よりも幅狭に形成されている複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の左右方向長さを前記伝動軸の（１０）の左右方向長さよりも長くして伝動軸（１０）の左右外端よりも外側に延長し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記支持フレーム（１２）に左右方向に往復横送り自在に支持させてあり、前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある田植機の苗植付装置。」と訂正する。
　
（２）訂正事項ｂ
　特許請求の範囲の請求項２について、「左右方向に沿って横長の一体物で構成された横フレーム（７）を配置し、この横フレーム（７）に、苗を田面に植え付ける植付機構（３）を後部に備えた複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記横ステー（１２ａ）に左右方向に往復横送り自在に支持させてある田植機の苗植付装置。」を、
「左右方向に沿って横長の一体物で構成された横フレーム（７）を配置し、この横フレーム（７）に、苗を田面に植え付ける植付機構（３）を後部に備えて植付条間よりも幅狭に形成されている複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の左右方向長さを前記伝動軸の（１０）の左右方向長さよりも長くして伝動軸（１０）の左右外端よりも外側に延長し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記横ステー（１２ａ）に左右方向に往復横送り自在に支持させてあり、前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある田植機の苗植付装置。」と訂正する。
　
（３） 訂正事項ｃ
特許請求の範囲の【請求項４】の記載全文を削除する。
　
（４） 訂正事項ｄ
　明細書の段落【０００６】の記載について、「備えた複数の植付ケースを、互いに平行状で後向きに、横フレームの外側面に片持ち状に連設すると共に、苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、複数の植付ケース及び伝動ケースの間で動力を伝達する伝動軸を、横フレームの外部で複数の植付ケース及び伝動ケースに亘って架設し、横フレームの右側部及び左側部に支持フレームを立設し、左右の支持フレームの上部に亘って横ステーを架設して、苗のせ台の上部を支持フレームに左右方向に往復横送り自在に支持させてある。」（本件特許公報２頁４欄２１〜３３行）とあるのを、
「備えて植付条間よりも幅狭に形成されている複数の植付ケースを、互いに平行状で後向きに、横フレームの外側面に片持ち状に連設すると共に、苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、複数の植付ケース及び伝動ケースの間で動力を伝達する伝動軸を、横フレームの外部で複数の植付ケース及び伝動ケースに亘って架設し、前記横フレームの左右方向長さを前記伝動軸の左右方向長さよりも長くして伝動軸の左右外端よりも外側に延長し、横フレームの右側部及び左側部に支持フレームを立設し、左右の支持フレームの上部に亘って横ステーを架設して、苗のせ台の上部を支持フレームに左右方向に往復横送り自在に支持させてあり、前記横フレームを、田植機の本体に備えられたリンク装置にローリング自在に支持し、前記伝動軸をローリング軸心よりも下位に配置するとともに、前記横送り軸と伝動軸との軸心どうしを結ぶ仮想線分、及び前記リンク装置の後端部における上下のリンク節どうしを結ぶ仮想線分を、苗のせ台の前傾姿勢に沿って前傾させて配置してある。」と訂正する。
　
（５）訂正事項ｅ
　明細書の段落【０００７】の記載について、「備えた複数の植付ケースを、互いに平行状で後向きに、横フレームの外側面に片持ち状に連設すると共に、苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、複数の植付ケース及び伝動ケースの間で動力を伝達する伝動軸を、横フレームの外部で複数の植付ケース及び伝動ケースに亘って架設し、横フレームの右側部及び左側部に支持フレームを立設し、左右の支持フレームの上部に亘って横ステーを架設して、苗のせ台の上部を横ステーに左右方向に往復横送り自在に支持させてある。」（本件特許公報２頁４欄３６〜４８行）とあるのを、
「備えて植付条間よりも幅狭に形成されている複数の植付ケースを、互いに平行状で後向きに、横フレームの外側面に片持ち状に連設すると共に、苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、複数の植付ケース及び伝動ケースの間で動力を伝達する伝動軸を、横フレームの外部で複数の植付ケース及び伝動ケースに亘って架設し、前記横フレームの左右方向長さを前記伝動軸の左右方向長さよりも長くして伝動軸の左右外端よりも外側に延長し、横フレームの右側部及び左側部に支持フレームを立設し、左右の支持フレームの上部に亘って横ステーを架設して、苗のせ台の上部を横ステーに左右方向に往復横送り自在に支持させてあり、前記横フレームを田植機の本体に備えられたリンク装置にローリング自在に支持し、前記伝動軸をローリング軸心よりも下位に配置するとともに、前記横送り軸と伝動軸との軸心どうしを結ぶ仮想線分、及び前記リンク装置の後端部における上下のリンク節どうしを結ぶ仮想線分を、苗のせ台の前傾姿勢に沿って前傾させて配置してある。」と訂正する。
　
（６）訂正事項ｆ
　明細書の段落【０００９】の記載全文を削除する。
　
（７）訂正事項ｇ
　明細書の段落【００１０】の記載について、「【作用】　請求項１の特徴によると、左右方向に沿って横長の一体物で構成された横フレームが配置され、苗を田面に植え付ける植付機構を後部に備えた複数の植付ケースが、」（本件特許公報３頁５欄７〜１０行）とあるのを、
「【作用】　［１］　請求項１の特徴によると、左右方向に沿って横長の一体物で構成された横フレームが配置され、苗を田面に植え付ける植付機構を後部に備えて植付条間よりも幅狭に形成されている複数の植付ケースが、」と訂正する。
　
（８）訂正事項ｈ
　明細書の段落【００１６】の記載について、「得ることができる。」（本件特許公報３頁６欄３７〜３８行）とあるのを、
「得ることができる。
　また、田植機では田植機の本体に備えられたリンク装置に、苗植付装置がローリング自在に支持されており、請求項４の特徴によると、横フレーム、左右の支持フレーム及び横ステーにより枠状に構成されたものが、横フレームを介してローリング自在に支持される状態となる。
　これにより請求項４の特徴によると、充分な強度を持つ横フレームに支持フレームが立設されている点、横フレーム、左右の支持フレーム及び横ステーが枠状に構成されている点によって、苗植付装置がローリング自在に支持されても、これに関係なく苗のせ台が安定して支持される。」と訂正する。
　
（９）訂正事項ｉ
　明細書の段落【００２２】の記載について、「期待できる。」（本件特許公報４頁８欄２３行）とあるのを、
「期待できる。
　さらにまた、充分な強度を持つ横フレームに支持フレームが立設されている点、横フレーム、左右の支持フレーム及び横ステーが枠状に構成されている点によって、苗植付装置がローリング自在に支持されても、これに関係なく苗のせ台が安定して支持されるので、植付機構が苗のせ台から苗を円滑に取り出して田面に植え付けるようになって、苗植付装置の植付性能をさらに向上させることができた。」と訂正する。
　
（１０）訂正事項ｊ
　明細書の段落【００２５】の記載全文を削除する。
　
２−２．訂正の目的の適否、新規事項の有無及び拡張・変更の存否
　上記訂正事項ａは、請求項１について、
　同請求項に係る発明の構成に欠くことができない事項である「備えた複数の植付ケース（８）を、」をこれに含まれる事項である「備えて植付条間よりも幅狭に形成されている複数の植付ケース（８）を、」に変更し、
　同発明の構成に欠くことができない事項として新たに「前記横フレーム（７）の左右方向長さを前記伝動軸の（１０）の左右方向長さよりも長くして伝動軸（１０）の左右外端よりも外側に延長し、」を付加し、
　同発明の構成に欠くことができない事項として新たに「前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある」を付加するものであるから、特許請求の範囲の減縮を目的とした明細書の訂正に該当する。
　上記訂正事項ｂは、請求項２について、
　同請求項に係る発明の構成に欠くことができない事項である「備えた複数の植付ケース（８）を、」をこれに含まれる事項である「備えて植付条間よりも幅狭に形成されている複数の植付ケース（８）を、」に変更し、
　同発明の構成に欠くことができない事項として新たに「前記横フレーム（７）の左右方向長さを前記伝動軸の（１０）の左右方向長さよりも長くして伝動軸（１０）の左右外端よりも外側に延長し、」を付加し、
　同発明の構成に欠くことができない事項として新たに「前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある」を付加するものであるから、特許請求の範囲の減縮を目的とした明細書の訂正に該当する。
　上記訂正事項ｃは、特許請求の範囲の請求項４を削除するものであるから、特許請求の範囲の減縮を目的とした明細書の訂正に該当する。
　上記訂正事項ｄないしｆは上記訂正事項ａないしｃと整合を図るものであるから、明りょうでない記載の釈明を目的とした明細書の訂正に該当する。
　上記訂正事項ｇの「【作用】　［Ｉ］　請求項１の特徴によると、」した点は、段落【００１３】の「［ＩＩ］　複数の植付ケースへの・・・なっている。又、前項［Ｉ］に記載のように」の記載と整合を図るものであるから、明りょうでない記載の釈明を目的とした明細書の訂正に該当する。
　上記訂正事項ｇの「備えて植付条間よりも幅狭に形成されている複数の植付ケースが、」した点は、上記訂正事項ａと整合を図るものであるから、明りょうでない記載の釈明を目的とした明細書の訂正に該当する。
　上記訂正事項ｈないしｊは、特許明細書の【作用】及び【効果】の記載についても段落【００２５】の記載に基づき上記訂正事項ａないしｃと整合を図るものであるから、明りょうでない記載の釈明を目的とした明細書の訂正に該当する。
　そして、上記「備えて植付条間よりも幅狭に形成されている複数の植付ケース（８）を、」とした点、上記「前記横フレーム（７）の左右方向長さを前記伝動軸の（１０）の左右方向長さよりも長くして伝動軸（１０）の左右外端よりも外側に延長し、」とした点、上記「前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある」とした点、上記「前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある」とした点は、願書に添付された明細書又は図面に記載されているから、上記訂正事項ａないしｊは、新規事項の追加に該当せず、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．申立ての理由の概要
　特許異議申立人は、下記の証拠を提示し、本件発明の特許は次の理由により取り消されるべきである旨を主張している。
（１）本件請求項１ないし４に係る発明は、甲第１ないし５号証の３に記載された発明に基づいて当業者が容易に発明をすることができたものであるから、特許法第２９条第２項の規定により特許を受けることができない。
　
（２）本件特許出願は、その特許請求の範囲の請求項１ないし４に記載不備があるから、特許法第３６条第５項の規定により特許を受けることができない。
　
　　　　　　　　　　　　　記
　甲第１号証：実公昭５０−３０２５８号公報
　甲第２号証：特開昭５２−３４２１２号公報
　甲第３号証：実公昭５５−４７２８６号公報
　甲第４号証の１：実願昭６１−４００５８号（実開昭６２−１５３８０６号）のマイクロフィルム
　甲第４号証の２：実願昭６３−１４２５６５号（実開平２−６３６０３号）のマイクロフィルム
　甲第４号証の３：特開平２−１１９７０３号公報
　甲第５号証の１：実願昭５８−１５９０６号（実開昭５９−１２２０２２号）のマイクロフィルム
　甲第５号証の２：実願昭５６−１８５７５４号（実開昭５８−９１２２５号）のマイクロフィルム
　甲第５号証の３：実願昭５８−１１９４９号（実開昭５９−１１９１１７号）のマイクロフィルム
　
３−２．本件発明
　上記２．で示したように上記訂正が認められるから、本件特許第３１４０４１７号の請求項１ないし３に係る発明（以下、「本件発明１ないし３」という。）は、平成１４年８月１９日に提出された訂正明細書の特許請求の範囲の請求項１ないし３に記載された次のとおりのものである。
「【請求項１】左右方向に沿って横長の一体物で構成された横フレーム（７）を配置し、この横フレーム（７）に、苗を田面に植え付ける植付機構（３）を後部に備えて植付条間よりも幅狭に形成されている複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の左右方向長さを前記伝動軸の（１０）の左右方向長さよりも長くして伝動軸（１０）の左右外端よりも外側に延長し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記支持フレーム（１２）に左右方向に往復横送り自在に支持させてあり、前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある田植機の苗植付装置。
【請求項２】左右方向に沿って横長の一体物で構成された横フレーム（７）を配置し、この横フレーム（７）に、苗を田面に植え付ける植付機構（３）を後部に備えて植付条間よりも幅狭に形成されている複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の左右方向長さを前記伝動軸の（１０）の左右方向長さよりも長くして伝動軸（１０）の左右外端よりも外側に延長し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記横ステー（１２ａ）に左右方向に往復横送り自在に支持させてあり、前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある田植機の苗植付装置。
【請求項３】植付ケース（８）を横フレーム（７）に対して直接に取り付けて支持させてある請求項１又は２記載の田植機の苗植付装置。」
　
３−３．特許法第２９条第２項について
３−３−１．甲号証に記載された発明
（１）上記甲第１号証には、次の事項が記載されている。
(1-1).「この田植機４には、フレーム５と、このフレーム５の下端部に位置させた植付田面を滑走する均平板６とを具備させ、・・・またフレーム５上には、機体の進行方向に関して前端が高くなるように傾斜した姿勢で貯苗台９が支持されている。・・・さらに貯苗台９の後方には貯苗台９の区分と同数の植込体１０を各組に分割して配置させ、この各組の植込体１０はクランクアーム１１および揺動アーム１２によってその先端部が楕円形に近い軌跡を画いて運動し、貯苗台９上に載置された土付播種苗を−定面積ずつに切取つて田面に植込むように作動する。各組の植込体１０を駆動するためのクランクアーム１１は、歯車ケース１３に支持された駆動軸１４の両端部に固定され、伝動軸ケース１５内に収容された伝動軸によって駆動されるようになっている。」（１頁２欄５〜２９行）
(1-2).「なお符号２４は牽引装置１の動力取出軸を示しこの動力取出軸２４は、田植機４のフレーム５上に支持された伝動ケース２５内の伝動機構に接続され、貯苗台９を往復移動させるための駆動機構および伝動軸ケース１５内の伝動軸に動力を分配するための分配機構２６に動力を供給するようになっている。」（２頁３欄２０〜２６行）
　
（２）上記甲第２号証には、次の事項が記載されている。
(2-1).「植付機構２１を袋備した植付ケース２２・・を複数個横方向に並置するとともに、各植付ケース２２・・の入力軸２５・・を横方向に水平軸支し、これら入力軸２５・・を互いに一直線状に連動連結し、且つ、所定の入力軸２５端部に動力を伝達する機構２６を配置してあることを特徴とする多条植え田植装置。」（特許請求の範囲）
(2-2).「前記均平装置２のフレーム４と苗植付装置３の連結用枠体１２との間には、下側の左右一対のサイドリンク１３，１３及び上方中間部のアッパーリンク１４が、・・・介装されており、このサイドリンク１３，１３及びアッパーリンク１４を介して苗植付装置３が均平装置２に対して上下移動自在並びに左右ローリング自在に支持されている。」（２頁左上欄２０行〜右上欄１０行）
(2-3).「また、前記田植装置３は、第３図参照のように、上下に循環回動駆動される４対の植付爪２０・・等からなる植付機構２１を装備した二つの植付ケース２２，２２が前記連結用枠体１２に連結された状態で横方向に並置されて構成されるものであって、・・・横往復移動する苗のせ台２４・・の載置苗を８対の植付爪２０・・で順次圃場に植付けるように構成されている。また、前記植付ケース２２・・には、第４図に示すように入力軸２５・・が夫々横方向に向けて水平軸支され、且つ、夫々の入力軸２５・・が一直線状に沿って配置されるとともに、両ケース２２・・間には、前記回転軸７と連動連結されて動力を受入れ、且つ、前記入力軸２５・・の端部に動力を伝達する機構２６が配置されている。この伝達機構２６について詳しく説明すると、前記回転軸７と連動連結される縦軸２７、前記入力軸２５の端部と連結される横軸２８及び中間伝動機構２９が前記枠体１２に連結支持されるミッションケース３０に夫々軸支されており、・・・→横軸２８→入力軸２５・・。」（２頁左下欄８行〜右下欄１９行）
　
（３）上記甲第３号証には、次の事項が記載されている。
(3-1).「多条植え型式の田植機における各植付けミッンョン１……を中間伝動ケース２と各植付け装置３……の苗載せ台横送り用伝動ケース４……とに分割し、かつ、前記中間伝動ケース２を植付け装置３……の並設方向に沿つて同一断面形状の長尺筒状ケースで構成すると共に、その一側面には、本機側から動力を受けて駆動回転する駆動軸挿設用の孔２０を穿設する−方、他側面には、前記各植付けミッンョン１……側に動力を取り出す伝動軸２１……挿設用の孔２２……を複数個穿設し、また、上記孔２０，２２……の周り及び苗載せ横送り用伝動ケース４を設置する面には、ボルトにより各ケースを連続するための小孔２９……を穿設して構成してあることを特徴とした多条植え型式田植機の植付け部伝動構造。」（実用新案登録請求の範囲）
(3-2).「このような乗用型田植機に於いて、第２図，第３図に示すように、前記各植付ミッンョン１……をボルトを介して連結可能で、かつ、本機側から動力を受けて駆動回転する駆動軸１５の一端部に装着したべべルギヤ１６及び植付けミッンョン１側に動力を伝達するべべルギヤ５……とに咬合可能なべべルギヤ１７……を有する中間伝動用回転軸１８を架設してある中間伝動ケース２と、前記苗載せ台７を左右横方向に往復移動させる横送り軸１９を架設してある苗載せ台横送り用伝動ケース４とを分割構成するとともに、前記中間伝動ケース２は、アルミ等の押出成形にて製作された植付け装置３……の並設方向に沿って同ー断面形状の長い筒状ケースを八条植えに見合う長さで切断して構成し、かつ、この中間伝動ケース２の−側面には前記駆動軸１５挿設用の孔２０を穿設する一方、他側面には、前記各植付けミッンョン１……側に動力を取り出す伝動軸２１……挿設用の孔２２……を穿設し、上記孔２０，２２……の周り及び苗載せ台横送り用伝動ケース４を設置する面には、ボルトにより各ケースを連設するための小孔２ ９……を適宜穿設している。又、前記横送り用の伝動ケース４には、前記駆動軸１５からの動力を補助伝動ケース２３に内装したスプロケット２４及びチェーン２５を介して受けて回転する螺旋軸２６を架設し、この螺旋軸２６と横送り軸１９との間に、前記螺旋軸２６の螺旋溝に係合するコマ２７とこれを支持するコマ受け２８を設け、以つて、螺旋軸２６の回転に伴って横送り軸１９が軸芯方向に往復移動することにより、前記苗載せ台７を左右横方向に往復移動させるべく構成している。」（２頁３欄２９行〜４欄２４行）
　
（４−１）上記甲第４号証の１には、次の事項が記載されている。
(4-1-1).「本考案の実施例を図面に基づいて説明すると、１は乗用田植機の走行機体であって、その後部には、トップリンク２とロアリンク３で支持部材４が昇降可能に連結してあり、該部材４の下部には植付部５の前部に設けたセンターピン６が回動自在に支持されており、これにより植付部全体は左右方向にローリング可能となっている。前記植付部５は伝動ケース７，左右に往復動する苗載台８，支持腕９及びリンク１０で下部に取付けたフロート１１及び後部に装着した複数の植付杵１２等で構成されている。・・・伝動ケース７の前部にはブラケット１３，１３で取付けた横方向に長い筒状ステー１４を設け、その中央部に前方に向け突設したセンタービン６を前記支持部材４の下部の孔に嵌入させてあって、植付部５はセンターピン６を中心に回動可能なるよう構成されている。伝動ケース７の上方に前高後低に傾斜して設けた苗載台８は、その背面上部寄りの下方からマット苗２枚相当分の長さ位置に上部レール１６が、下部寄りに下部レール１７がそれぞれ横方向に取付けてあり、又両レール１６，１７間の中程には横ステー１８が横方向に取付けてある。そして、苗載台８の下部レール１７は伝動ケース７の上部に設けたスライドピース１９に支持され、又、上部レール１６は前記筒状ステー１４に横方向間隔をもたせて立設した左右−対の苗載台支持フレーム２１，２１先端のスライドピース２２に支持されており、更に、上記横ステー１８は、横ステー１８の下方において伝動ケース７に左右方向摺動自在に軸支したスライドバ−２ ３の左右両端部に、取付板２４，２４を介して連結されている。又、上記スライドバー２３は、伝動ケース７内で回動するスクリューシャフトに連動連結されており、これにより苗載台８は横方向に往復動するようになっている。」（５頁１７行〜７頁１３行）
　
（４−２）上記甲第４号証の２には、次の事項が記載されている。
(4-2-1).「第２図及び第９図に示すように、前記平行リンク装置１１の後端にはヒッチ部材２６が設置されており、前記植付部１２は、該ヒッチ部材２６に装着した植付部支持部材２４の下端に設置したローリング支点軸２７により左右方向揺動自在に支持されている。また、前記苗のせ台１６の裏面にはドライブケース２９が配設されており、かつ該ドライブケース２９の下方部から左右に延びているシャフトケース３０を介してプランタケース３１…が配設されている。更に、植付部１２の左右方向にステー３２が延びており、かつ該ステー３２の左右部分にてポスト３３，３３が立設・固定されており、植付部１２は、該ポスト３３，３３の上端に設けられたスライドピース等により左右方向摺動自在に支持されている。また、ドライブケース２９にはプロべラシャフト２５（第１０図）が走行機体５から延びており、かつ左右方向に突出するスライドバー３５はブラケット３６を介して苗のせ台１６のフレーム３７に連結されている。」（８頁１３行〜９頁１２行）
　
（４−３）上記甲第４号証の３には、次の事項が記載されている。
(4-3-1).「第８図及び第９図に示すように、前記平行リンク装置１１の後端にはヒッチ部材２６が設置されており、前記植付部１２は、該ヒッチ部材２６に装着した植付部支持部材２４の下端に設置したローリング支点軸２７により左右方向揺動自在に支持されている。また、前記苗のせ台１６の裏面にはドライブケース２９が配設されており、かつ該ドライブケース２９の下方部から左右に延びているシャフトケース３０を介してプランタケース３１…が配設されている。更に、植付部１２の左右方向にステー３２が延びており、かつ該ステー３２の左右部分にてポスト３３，３３が立設・固定されており、植付部１２は、該ポスト３３，３３の上端に設けられたスライドピース等により左右方向摺動自在に支持されている。また、ドライブケース２９にはプロべラシャフト２５（第１０図）が走行機体５から延びており、かつ左右方向に突出するスライドバー３５はブラケット３６を介して苗のせ台１６のフレーム３７に連結されている。」（３頁右上欄１１行〜左下欄１０行）
　
（５−１）上記甲第５号証の１には、次の事項が記載されている。
(5-1-1).「左右両側にある前記植付伝動ケース６，６の前部外側には上端に逆Ｕ字状の受金２５が連設されている支柱２４，２４を一体的に立設してあり、横枠２６の両端を前記受金２５，２５の後面に重合してＬ型金具２７，２７の下部のボルト部２７ａと２個のナット２８ａ，２８ｂで締着し、横枠２６の中間部にもＬ型金具２７を締着し、上記３つのＬ型金具２７・・の上端に取付けたスライドピース２９・・を苗載台９の上部下面にリべット止めしたスライドレール３０に嵌合摺接してある。また、前記苗載台９の下部下面に固定したスライドレール３１は機枠に立設したステー３２で支持されたスライドピース３ ３・・により横移動自在に支持されている。前述の装置において植付装置４を駆動しながら機体１を前進させると、苗載台９はスクリュウ軸７ａの回転により横方向に往復動し、スライドピース２９・・、３ ３・・はスライドレール３０，３１を支持案内し、植付杆７ｂは苗載台９上の苗を掻取って田面に植付ける。そして、前記支柱２４，２４は上端を横枠２６により連結して門型に構成してあるので強固になり、また、横枠２６の端部を上下調節すると、すべてのスライドピース２９・・を同時に調整することができるる。」（４頁２０行〜６頁４行）
　
（５−２）上記甲第５号証の２には、次の事項が記載されている。
(5-2-1).「９は上記前部レール５に平行して苗載台４の苗繰出方向後方裏面に固定された後部レールで、該後部レール９は第２図に示す如く側面視において前方を開放した略コ形状に折曲形成されている。１０は後部レール９に対し、Ｌ型支持杵１１を介して複数個内装された摺動駒であって、各摺動駒１０はその上面１０ａ、下面１０ｂ及び後面１０ｃの３面がコ字形状の後部レール９に囲まれた状態で且つ摺動駒後面１０ｃとそれに対向するレール内面９ａ間に予め所要寸法ｌの隙間ｂを存して支持されており、また摺動駒１０の下面１０ｂもレール９の下部折曲片９’に対し非接触状態に保持されていて、摺擦抵抗が極力少なくするように配慮されている。１１ａは機体フレーム１に立設固定されたステーで、その頂部には座板１２を固定したパイプ１３が一体的に架設されている。そして座板１２に設けた長孔１２’には、各摺動駒１０を回動自在に嵌合枢支する支持杆１１の螺子部１１’が挿入されると共にナット１３ａ及び座金１４を介して固定されており、この取付構造により各摺動駒１０は長孔Ｉ２’の範囲内で前後動及び回動調整し得るようになっている。」（５頁１行〜６頁３行）
　
（５−３）上記甲第５号証の３には、次の事項が記載されている。
(5-3-1).「前記苗載台３の下面の下部に固定したスライドレール４は図示していないがエプロンと一体なガイドレールに嵌合しており、その上方にリべット５・・によってスライドレール６を固定し、機体に立設した支柱７，７の上部に横杆８を固定し、この横杆８に突設した３つのステー９・・にはＬ型の取付貝９ａを介して前記スライドレール６に嵌合したスライドピース１０・・を装着してある。」（３頁１行〜６頁３行）
　
３−３−２．対比・判断
（１）本件発明１について
　本件発明１と上記３−３−１．に摘記した事項から把握される甲第１ないし５号証の３に記載された発明を比較すると、
　甲第１ないし５号証の３に記載された発明は、少なくとも本件発明１を特定する事項である「横フレームの左右方向長さを伝動軸のの左右方向長さよりも長くして伝動軸の左右外端よりも外側に延長し、横フレームの右側部及び左側部に支持フレームを立設し、左右の支持フレームの上部に亘って横ステーを架設して、苗のせ台の上部を前記支持フレームに左右方向に往復横送り自在に支持させ」た構成がまったく記載されていない。そして、上記構成が自明であるとも、本件特許が出願された時点で周知であるということもできない。
　したがって、本件発明１は甲第１ないし５号証の３に記載された発明から容易に発明をすることができたものとすることはできない。
　
（２）本件発明２について
　本件発明２と上記３−３−１．に摘記した事項から把握される甲第１ないし５号証の３に記載された発明を比較すると、
　甲第１ないし５号証の３に記載された発明は、少なくとも本件発明２を特定する事項である「横フレームの左右方向長さを伝動軸のの左右方向長さよりも長くして伝動軸の左右外端よりも外側に延長し、横フレームの右側部及び左側部に支持フレームを立設し、左右の支持フレームの上部に亘って横ステーを架設して、苗のせ台の上部を前記支持フレームに左右方向に往復横送り自在に支持させ」た構成がまったく記載されていない。そして、上記構成が自明であるとも、本件特許出願前に周知であるということもできない。
　したがって、本件発明２は甲第１ないし５号証の３に記載された発明から容易に発明をすることができたものとすることはできない。
　
（３）本件発明３について
　本件特許の請求項３は、同請求項１又は２を引用しているところ、上記３−３−２．（１）及び（２）において検討したとおり、本件発明１及び２を、甲第１ないし５号証の３に記載された発明から容易に発明をすることができたものとすることができない以上、本件発明３は本件発明１又２の下位概念の発明であるから、本件発明３も本件発明１又２と同様に、甲第１ないし５号証の３に記載された発明から容易に発明をすることができたものとすることはできない。
　
３−４．特許法第３６条第５項について
　異議申立人は、本件特許明細書の段落【００２７】には「田植機の本体の動力取り出し軸に連動する伝動ケース６の入力軸９に，伝動ケース６及び植付ケース８の伝動機構や、横フレーム７の外部で植付ケース８に亘って架設された伝動軸１０により植付爪３を連動させて、植付爪３を駆動するように構成されている。」（本件特許公報５頁９欄１７〜２２行）と記載されているが、本件発明１及び２には「複数の植付ケース（８）及び前記伝動ケース（６）の間で動力を伝達する伝動軸（１０）を、」と記載されており、上記本件発明１及び２の記載は、恰も複数の植付ケース（８）の間で動力が伝達られるものであるかのような誤解を与えている。複数の植付ケース（８）の間で動力を伝達することはできないから本件発明１又は２、並びに、本件特許の請求項１又は２を引用している本件発明３は不明瞭である旨を主張する。
　しかしながら、【図２】を参照すると、中央よりの植付ケース８へは伝動ケース６から伝動軸１０により動力が伝達されるものであるが、外側よりの植付ケース８へは伝動ケース６から中央よりの植付ケース８を経由して伝動軸１０により動力が伝達されるものが記載されているので、本件発明１及び２の「複数の植付ケース（８）及び前記伝動ケース（６）の間で動力を伝達する伝動軸（１０）を、」という構成は、本件特許明細書に記載されていると認められる。
　よって、本件発明１ないし３は不明瞭であるということができない。
　したがって、本件特許出願は、その特許請求の範囲の請求項１ないし４に記載不備があるから、特許法第３６条第５項の規定により特許を受けることができないということはできない。
　
３−５．むすび
　以上のとおりであるから、異議申立の理由及び証拠によっては本件発明１ないし３についての特許を取り消すことができない。
　また、他に本件発明１ないし３についての特許を取り消すべき理由を発見しない。
　したがって、本件発明１ないし３についての特許は拒絶の査定をしなければならない特許出願に対してされたものと認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月１９日（２００２．１１．１９）
【訂正の要旨】
訂正の要旨
（１）訂正事項ａ
　特許請求の範囲の請求項１について、「左右方向に沿って横長の一体物で構成された横フレーム（７）を配置し、この横フレーム（７）に、苗を田面に植え付ける植付機構（３）を後部に備えた複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記支持フレーム（１２）に左右方向に往復横送り自在に支持させてある田植機の苗植付装置。」を、
「左右方向に沿って横長の一体物で構成された横フレーム（７）を配置し、この横フレーム（７）に、苗を田面に植え付ける植付機構（３）を後部に備え
て植付条間よりも幅狭に形成されている
前記横フレーム（７）の左右方向長さを前記伝動軸の（１０）の左右方向長さよりも長くして伝動軸（１０）の左右外端よりも外側に延長し、
り、前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある
（２）訂正事項ｂ
　特許請求の範囲の請求項２について、「左右方向に沿って横長の一体物で構成された横フレーム（７）を配置し、この横フレーム（７）に、苗を田面に植え付ける植付機構（３）を後部に備えた複数の植付ケース（８）を、後方に向けて片持ち状に連設すると共に、前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記横ステー（１２ａ）に左右方向に往復横送り自在に支持させてある田植機の苗植付装置。」を、
「左右方向に沿って横長の一体物で構成された横フレーム（７）を配置し、この横フレーム（７）に、苗を田面に植え付ける植付機構（３）を後部に備え
て植付条間よりも幅狭に形成されている
前記横フレーム（７）の左右方向長さを前記伝動軸の（１０）の左右方向長さよりも長くして伝動軸（１０）の左右外端よりも外側に延長し、
り、前記横フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端部における上下のリンク節どうしを結ぶ仮想線分を、苗のせ台（２）の前傾姿勢に沿って前傾させて配置してある
（３）訂正事項ｃ
特許請求の範囲の【請求項４】の記載全文を削除する。
（４）訂正事項ｄ
　明細書の段落【０００６】の記載について、「備えた複数の植付ケースを、互いに平行状で後向きに、横フレームの外側面に片持ち状に連設すると共に、苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、複数の植付ケース及び伝動ケースの間で動力を伝達する伝動軸を、横フレームの外部で複数の植付ケース及び伝動ケースに亘って架設し、横フレームの右側部及び左側部に支持フレームを立設し、左右の支持フレームの上部に亘って横ステーを架設して、苗のせ台の上部を支持フレームに左右方向に往復横送り自在に支持させてある。」（本件特許公報２頁４欄２１〜３３行）とあるのを、
「
備えて植付条間よりも幅狭に形成されている
前記横フレームの左右方向長さを前記伝動軸の左右方向長さよりも長くして伝動軸の左右外端よりも外側に延長し、
り、前記横フレームを、田植機の本体に備えられたリンク装置にローリング自在に支持し、前記伝動軸をローリング軸心よりも下位に配置するとともに、前記横送り軸と伝動軸との軸心どうしを結ぶ仮想線分、及び前記リンク装置の後端部における上下のリンク節どうしを結ぶ仮想線分を、苗のせ台の前傾姿勢に沿って前傾させて配置して
（５）訂正事項ｅ
　明細書の段落【０００７】の記載について、「備えた複数の植付ケースを、互いに平行状で後向きに、横フレームの外側面に片持ち状に連設すると共に、苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、複数の植付ケース及び伝動ケースの間で動力を伝達する伝動軸を、横フレームの外部で複数の植付ケース及び伝動ケースに亘って架設し、横フレームの右側部及び左側部に支持フレームを立設し、左右の支持フレームの上部に亘って横ステーを架設して、苗のせ台の上部を横ステーに左右方向に往復横送り自在に支持させてある。」（本件特許公報２頁４欄３６〜４８行）とあるのを、
「
備えて植付条間よりも幅狭に形成されている
前記横フレームの左右方向長さを前記伝動軸の左右方向長さよりも長くして伝動軸の左右外端よりも外側に延長し、
り、前記横フレームを田植機の本体に備えられたリンク装置にローリング自在に支持し、前記伝動軸をローリング軸心よりも下位に配置するとともに、前記横送り軸と伝動軸との軸心どうしを結ぶ仮想線分、及び前記リンク装置の後端部における上下のリンク節どうしを結ぶ仮想線分を、苗のせ台の前傾姿勢に沿って前傾させて配置してあ
（６）訂正事項ｆ
　明細書の段落【０００９】の記載全文を削除する。
（７）訂正事項ｇ
　明細書の段落【００１０】の記載について、「【作用】
　
「【作用】　
［１］
て植付条間よりも幅狭に形成されている
（８）訂正事項ｈ
　明細書の段落【００１６】の記載について、「得ることができる。」（本件特許公報３頁６欄３７〜３８行）とあるのを、
「得ることができる。
　
また、田植機では田植機の本体に備えられたリンク装置に、苗植付装置がローリング自在に支持されており、請求項４の特徴によると、横フレーム、左右の支持フレーム及び横ステーにより枠状に構成されたものが、横フレームを介してローリング自在に支持される状態となる。
　これにより請求項４の特徴によると、充分な強度を持つ横フレームに支持フレームが立設されている点、横フレーム、左右の支持フレーム及び横ステーが枠状に構成されている点によって、苗植付装置がローリング自在に支持されても、これに関係なく苗のせ台が安定して支持される。
（９）訂正事項ｉ
　明細書の段落【００２２】の記載について、「期待できる。」（本件特許公報４頁８欄２３行）とあるのを、
「期待できる。
　
さらにまた、充分な強度を持つ横フレームに支持フレームが立設されている点、横フレーム、左右の支持フレーム及び横ステーが枠状に構成されている点によって、苗植付装置がローリング自在に支持されても、これに関係なく苗のせ台が安定して支持されるので、植付機構が苗のせ台から苗を円滑に取り出して田面に植え付けるようになって、苗植付装置の植付性能をさらに向上させることができた。
（１０）訂正事項ｊ
　明細書の段落【００２５】の記載全文を削除する。
（５４）【発明の名称】
田植機の苗植付装置
（５７）【特許請求の範囲】
　【請求項１】　左右方向に沿って横長の一体物で構成された横フレーム（７）を配置し、
この横フレーム（７）に、苗を田面に植え付ける植付機構（３）を後部に
備えて植付条間よりも幅狭に形成されている
　前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、
　前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、
　
前記フレーム（７）の左右方向長さを前記伝動軸の（１０）の左右方向長さよりも長くして伝動軸（１０）の左右外端よりも外側に延長し、
　前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記支持フレーム（１２）に左右方向に往復横送り自在に支持させて
あり、
　
前記フレーム（７）を田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端側における上下のリンク節どうしを結ぶ仮想線分を、苗のせ台（２）の前傾姿勢に沿って前傾させて配置してある
　【請求項２】　左右方向に沿って横長の一体物で構成された横フレーム（７）を配置し、
この横フレーム（７）に、苗を田面に植え付ける植付機構（３）を後部に
備えて植付条間よりも幅狭に形成されている
　前記苗のせ台（２）を往復横送り駆動する伝動機構を備えて前記植付ケース（８）とは別体で構成された伝動ケース（６）を、前記横フレーム（７）に連結固定し、この伝動ケース（６）から横フレーム（７）の長さ方向に沿って苗のせ台（２）を横送り駆動するための横送り軸（１９）を延出し、
　前記複数の植付ケース（８）及び前記伝動ケース（６）の間で動力を伝達する伝動軸（１０）を、前記横フレーム（７）の外部で前記複数の植付ケース（８）及び前記伝動ケース（６）に亘って架設し、
　
前記横フレーム（７）の左右方向長さを前記伝動軸の（１０）の左右方向長さよりも長くして伝動軸（１０）の左右外端よりも外側に延長し、
　前記横フレーム（７）の右側部及び左側部に支持フレーム（１２）を立設し、前記左右の支持フレーム（１２）の上部に亘って横ステー（１２ａ）を架設して、前記苗のせ台（２）の上部を前記横ステー（１２ａ）に左右方向に往復横送り自在に支持させて
あり、
　
前記横フレーム（７）を、田植機の本体に備えられたリンク装置（１）にローリング自在に支持し、前記伝動軸（１０）をローリング軸心よりも下位に配置するとともに、前記横送り軸（１９）と伝動軸（１０）との軸心どうしを結ぶ仮想線分、及び前記リンク装置（１）の後端側における上下のリンク節どうしを結ぶ仮想線分を、苗のせ台（２）の前傾姿勢に沿って前傾させて配置してある
　
【請求項３】
【発明の詳細な説明】
　【０００１】
　【産業上の利用分野】
　本発明は、田植機における苗植付装置の全体構成に関する。
　【０００２】
　【従来の技術】
　田植機における苗植付装置の全体構成としては、例えば実開昭６２−９９９１４号公報に開示されているように、田面に苗を植え付ける植付爪（前記公報の第１図中の３）を、植付ケース（前記公報の第１図中の７ａ，７ｂ）の後部に備えて、田植機の植付条数に応じて複数の植付ケースを用意し、複数のパイプ部材（前記公報の第１図中の８ａ，８ｂ）により、複数の植付ケースの間をつなぐように構成して、苗植付装置の全体を構成したものがある。
　【０００３】
　【発明が解決しようとする課題】
　近年では、一つの植付条に複数の植付爪（図１及び図２参照）を備えたロータリ型式の苗植付装置が多くなり、これに伴い苗植付装置の全体の重量が重くなってきている。従って、乗用型の田植機では本体のリンク機構に、苗植付装置の左右中央部が支持される構成なので、前述のように苗植付装置の全体の重量が重くなると、苗植付装置の全体を左右方向に曲げようとする曲げモーメントが大きくなってくる。
　【０００４】
　これに対し前述の実開昭６２−９９９１４号公報のように、複数のパイプ部材により複数の植付ケースの間をつないでいく構成であると、パイプ部材の端面と植付ケースの横面との連結部が、左右方向に沿って多数並ぶ状態（前記公報の第１図参照）となり、苗植付装置の全体を左右方向に曲げようとする曲げモーメントが、パイプ部材の端面と植付ケースの横面との連結部の各々に掛かる状態となるので、苗植付装置の全体の強度の確保と言う面で改善の余地がある。
　【０００５】
　又、パイプ部材の端面と植付ケースの横面との連結部には、組立時に左右方向の連結誤差が発生し易いので、前述の実開昭６２−９９９１４号公報のように、複数のパイプ部材により複数の植付ケースの間をつないでいく構成であると、前述の連結誤差が左右方向に沿って集積されて、左右両側方の植付爪の位置に誤差の発生することがある。
　本発明は田植機の苗植付装置において、苗植付装置の全体の強度を充分に確保し、左右両側方の植付爪の位置の誤差の発生を抑えることを目的としており、左右方向に往復横送り駆動される苗のせ台を適切に支持することができるように構成することを目的としている。
　【０００６】
　【課題を解決するための手段】
　本発明の特徴は、田植機の苗植付装置において、次のように構成することにある。
［１］　左右方向に沿って横長の一体物で構成された横フレームを配置して、苗を田面に植え付ける植付機構を後部に
備えて植付条間よりも幅狭に形成されている
　苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、
　複数の植付ケース及び伝動ケースの間で動力を伝達する伝動軸を、横フレームの外部で複数の植付ケース及び伝動ケースに亘って架設し、
　
前記横フレームの左右方向長さを前記伝動軸の左右方向長さよりも長くして伝動軸の左右外端よりも外側に延長し、
　横フレームの右側部及び左側部に支持フレームを立設し、左右の支持フレームの上部に亘って横ステーを架設して、苗のせ台の上部を支持フレームに左右方向に往復横送り自在に支持させて
あり、
　
前記横フレームを、田植機の本体に備えられたリンク装置にローリング自在に支持し、前記伝動軸をローリング軸心よりも下位に配置するとともに、前記横送り軸と伝動軸との軸心どうしを結ぶ仮想線分、及び前記リンク装置の後端側における上下のリンク節どうしを結ぶ仮想線分を、苗のせ台の前傾姿勢に沿って前傾させて配置してある
　【０００７】
［２］　左右方向に沿って横長の一体物で構成された横フレームを配置して、苗を田面に植え付ける植付機構を後部に
備えて植付条間よりも幅狭に形成されている
　苗のせ台を往復横送り駆動する伝動機構を備えて植付ケースとは別体で構成された伝動ケースを、前記横フレームに連結固定し、この伝動ケースから横フレームの長さ方向に沿って苗のせ台を横送り駆動するための横送り軸を延出し、
　複数の植付ケース及び伝動ケースの間で動力を伝達する伝動軸を、横フレームの外部で複数の植付ケース及び伝動ケースに亘って架設し、
　
前記横フレームの左右方向長さを前記伝動軸の左右方向長さよりも長くして伝動軸の左右外端よりも外側に延長し、
　横フレームの右側部及び左側部に支持フレームを立設し、左右の支持フレームの上部に亘って横ステーを架設して、苗のせ台の上部を横ステーに左右方向に往復横送り自在に支持させて
あり、
　
前記横フレームを、田植機の本体に備えられたリンク装置にローリング自在に支持し、前記伝動軸をローリング軸心よりも下位に配置するとともに、前記横送り軸と伝動軸との軸心どうしを結ぶ仮想線分、及び前記リンク装置の後端側における上下のリンク節どうしを結ぶ仮想線分を、苗のせ台の前傾姿勢に沿って前傾させて配置してある
　【０００８】
［３］　前項［１］又は［２］の構成において、植付ケースを横フレームに対して直接に取り付けて支持させてある。
　
【０００９】
　【００１０】
　【作用】
［Ｉ］
備えて植付条間よりも幅狭に形成されている
　【００１１】
　この場合、「従来の技術」に記載の実開昭６２−９９９１４号公報の構成のような、パイプ部材の端面と植付ケースの横面との連結部が左右方向に沿って多数並ぶと言う状態は、請求項１の特徴による横フレームには生じないので、上下方向の曲げモーメントが、横フレームに掛かる状態となっても、横フレームは充分に耐えることができる。
　請求項１の特徴によると、植付ケースの夫々は苗のせ台を往復横送り駆動する伝動機構を備えた伝動ケースとは別体に形成されたものなので、比較的幅の狭いものとなっており、植付ケースを横フレームに連設する為の部分も比較的幅の狭いものとなる。
　【００１２】
　請求項１の特徴による横フレームにおいて、パイプ部材の端面と植付ケースの横面との連結部が左右方向に沿って多数並ぶと言う状態が生じなければ、パイプ部材の端面と植付ケースの横面との連結部に発生する左右方向の連結誤差が、左右方向に沿って集積されると言う状態は、横フレームには生じないので、前述の連結誤差の集積によって、左右両側方の植付機構の位置に誤差が発生すると言うような状態は生じない。
　【００１３】
［ＩＩ］　複数の植付ケースヘの伝動系を構成する際、「従来の技術」に記載の実開昭６２−９９９１４号公報の構成によると、複数の植付ケースの間をつなぐパイプ部材内に伝動軸を配置して、複数の植付ケースの各々に動力を伝達するように構成されている。
　これにより、パイプ部材の端面と植付ケースの横面との連結及び伝動軸の連結が同一個所で行われることになるので、構造が複雑なものとなり、メンテナンス作業も困難なものとなっている。又、前項［Ｉ］に記載のように上下方向の曲げモーメントが、パイプ部材に掛かる状態になった場合、前述の曲げモーメントが伝動軸にも掛かる状態となるので、伝動軸の疲労及び伝動軸を支持するベアリング等の磨耗に発展するおそれがある。
　【００１４】
　請求項１の特徴によると、複数の植付ケースヘの伝動系を構成する際、複数の植付ケースに動力を伝達する伝動軸が、横フレームの外部で複数の植付ケースに亘って架設されている。
　このように横フレームと植付ケースとの連結、及び植付ケースヘの動力伝達を分けることにより、構造が簡素なものとなるのであり、メンテナンス作業も容易なものとなる。又、前項［Ｉ］に記載のように上下方向の曲げモーメントが、横フレームに掛かる状態となっても、前述の曲げモーメントが伝動軸に直接に掛かることはないので、伝動軸の疲労及び伝動軸を支持するベアリング等の磨耗を避けることができる。
　【００１５】
［ＩＩＩ］　苗植付装置では、苗のせ台が左右方向に往復横送り駆動されるように支持されており、植付機構が苗のせ台から苗を取り出して田面に植え付けるように構成されている。苗のせ台は横幅及び上下長さが長いものなので、苗のせ台の上部及び下部を左右方向に往復横送り自在に支持する必要があり、苗のせ台の下部は一般に植付ケースに支持されることが多い。
　請求項１の特徴によると横フレームの右側部及び左側部に支持フレームが立設され、左右の支持フレームの上部に亘って横ステーが架設されて、横フレーム、左右の支持フレーム及び横ステーが枠状に構成されており、苗のせ台の上部が支持フレームに左右方向に往復横送り自在に支持されている。
　このように充分な強度を持つ横フレームに支持フレームが立設されている点、横フレーム、左右の支持フレーム及び横ステーが枠状に構成されている点によって、苗のせ台の上部が安定して支持される状態となり、苗のせ台が安定して円滑に左右方向に往復横送り駆動される。
　【００１６】
［ＩＶ］　　苗のせ台の横送り駆動機構を備える伝動ケースは、植付ケースとは別体で構成され、その伝動ケースから横フレームの長さ方向に沿って苗のせ台を横送り駆動するための横送り軸を延出し、かつ、伝動ケースは横フレームに連結固定している。
　つまり、苗のせ台の上部を支持する支持フレーム及び横ステーも、前述の横送り軸を備える伝動ケースも、ともに同じ横フレームに連結固定されている。したがって、苗のせ台の上部を支持する部位である支持フレーム及び横ステーと、苗のせ台の横送りを行う部位である横送り軸との間での、相対的な位置関係が、これらを別々の部位に固定する場合に比べて位置ずれの生じる割合が少なくなり、苗のせ台をこじれ少なく横送り駆動し易い構造を得ることができる。
　
また、田植機では田植機の本体に備えられたリンク装置に、苗植付装置がローリング自在に支持されており、請求項４の特徴によると、横フレーム、左右の支持フレーム及び横ステーにより枠状に構成されたものが、横フレームを介してローリング自在に支持される状態となる。
　これにより請求項４の特徴によると、充分な強度を持つ横フレームに支持フレームが立設されている点、横フレーム、左右の支持フレーム及び横ステーが枠状に構成されている点によって、苗植付装置がローリング自在に支持されても、これに関係なく苗のせ台が安定して支持される。
　【００１７】
［Ｖ］　請求項２の特徴によると、請求項１の場合と同様に前項［Ｉ］〜［ＩＶ］に記載の「作用」を備えており、これに加えて以下のような「作用」を備えている。
　請求項２の特徴によると、左右の支持フレームの上部に亘って架設された横ステーに、苗のせ台の上部が左右方向に往復横送り自在に支持されている。これにより、左右の支持フレームの上部に亘って架設された横ステーを、苗のせ台の上部を左右方向に往復横送り自在に案内する専用の案内部材に兼用することが可能になる。
　【００１８】
［ＶＩ］　請求項３の特徴によると、請求項１又は２の場合と同様に前項［Ｉ］〜［ＩＶ］に記載の「作用」を備えており、これに加えて以下のような「作用」を備えている。
　請求項３の特徴によると、植付ケースが横フレームに対して直接に取り付けられて支持されるので、植付ケースの横フレームヘの取付構造を簡素に構成することが可能になる。
　【００１９】
　【００２０】
　【発明の効果】
　請求項１の特徴によると、田植機の苗植付装置において横フレームの外側面に植付ケースを後向きに片持ち状に連設させることにより、上下方向の曲げモーメントに対し充分に耐えることができるようになって、苗植付装置の全体の強度を向上させることができた。
　請求項１の特徴によると、植付ケースが苗のせ台を往復横送り駆動する伝動機構とは別体に形成された比較的幅の狭いものとなっており、植付ケースを横フレームに連設する為の部分が比較的幅の狭いものになっているので、横フレームヘの植付ケースの連設構造があまり大掛かりなものにならず、構造の簡素化の面で有利なものとなると共に、植付ケースとは別体で構成される伝動ケースも、これらを一体化したケースよりも小型化され、しかも、これらの比較的小型に構成された植付ケースと伝動ケースとの夫々が各別に横フレームに連結固定されるので、全体として、コンパクトで強度的に優れた構造を得ることができる。
　請求項１の特徴によると、左右方向の連結誤差が左右方向に沿って集積されると言う状態を避けることができ、左右両側方の植付機構の位置を精度良く設定することができるようになった。
　【００２１】
　請求項１の特徴のように、伝動軸を横フレームの外部で複数の植付ケースに亘って架設することにより、横フレームと植付ケースとの連結、及び植付ケースヘの動力伝達を分けて、構造の簡素化及びメンテナンス作業の容易化を図ることができた。さらに、上下方向の曲げモーメントが、伝動軸に直接に掛かることを避けることができるので、伝動軸の疲労及び伝動軸を支持するベアリング等の磨耗を避けることができるようになり、苗植付装置の伝動系の耐久性を向上させることができた。
　【００２２】
　請求項１の特徴によると、充分な強度を持つ横フレームに支持フレームが立設されている点、横フレーム、左右の支持フレーム及び横ステーが枠状に構成されている点によって、苗のせ台の上部が安定して支持されて、苗のせ台が安定して円滑に左右方向に往復横送り駆動されるようになるので、植付機構が苗のせ台から苗を円滑に取り出して田面に植え付けるようになって、苗植付装置の植付性能を向上させることができた。
　また、苗のせ台の上部を支持する支持フレーム及び横ステーも、前述の横送り軸を備える伝動ケースも、ともに同じ横フレームに連結固定されている。したがって、苗のせ台の上部を支持する部位である支持フレーム及び横ステーと、苗のせ台の横送りを行う部位である横送り軸との間での、相対的な位置関係が、これらを別々の部位に固定する場合に比べて位置ずれの生じる割合が少なくなり、苗のせ台をこじれ少なくスムースな横送り駆動を行い易い構造を得ることができる。そして、苗のせ台の横送りがスムースであることにより、複数の植付ケースどうしの間、及び植付ケースと伝動ケースとの間に配設される伝動軸に対して、苗のせ台の横送り時のこじれに起因した曲げモーメントが生じる可能性も少なくなり、苗植付装置の駆動も円滑なものとなって、前述の植付性能の一層の向上を
期待できる。
　
さらにまた、充分な強度を持つ横フレームに支持フレームが立設されている点、横フレーム、左右の支持フレーム及び横ステーが枠状に構成されている点によって、苗植付装置がローリング自在に支持されても、これに関係なく苗のせ台が安定して支持されるので、植付機構が苗のせ台から苗を円滑に取り出して田面に植え付けるようになって、苗植付装置の植付性能をさらに向上させることができた。
　【００２３】
　請求項２の特徴によると、請求項１の場合と同様に前述の請求項１の「発明の効果」を備えており、この「発明の効果」に加えて以下のような「発明の効果」を備えている。
　請求項２の特徴によると、左右の支持フレームの上部に亘って架設された横ステーを、苗のせ台の上部を左右方向に往復横送り自在に案内する専用の案内部材に兼用することが可能になって、構造の簡素化を図ることができた。
　【００２４】
　請求項３の特徴によると、請求項１又は２の場合と同様に前述の請求項１又は２の「発明の効果」を備えており、この「発明の効果」に加えて以下のような「発明の効果」を備えている。
　請求項３の特徴のように、植付ケースを横フレームに対して直接に取り付けて支持させることにより、植付ケースの横フレームヘの取付構造を簡素に構成することが可能になるので、苗植付装置の全体構成の簡素化及び軽量化を図ることができた。
　【００２５】
　【００２６】
　【実施例】
　図１及び図２に示すように、リンク装置１により乗用型の田植機の本体に昇降操作自在に連結される苗植付装置において、一定のストロークで左右方向に往復横送り駆動される苗のせ台２、苗のせ台２の下端部から一株分の苗を取り出して植え付ける８条分の植付爪３、苗植付装置を支持して植付面を整地する接地フロート４等が備えられている。
　【００２７】
　図１，２，３に示すように、リンク装置１のボス部５にローリング自在に伝動ケース６が連結され、左右方向に沿って延出される横長の横フレーム７が伝動ケース６に連結されており、４個の植付ケース８が互いに平行な状態で、横フレーム７の外側面に後向きに片持ち状に取り付けられている。植付ケース８の後部左右に２組のロータリ式の植付爪３が備えられており、田植機の本体の動力取り出し軸に連動する伝動ケース６の入力軸９に，伝動ケース６及び植付ケース８の伝動機構や、横フレーム７の外部で植付ケース８に亘って架設された伝動軸１０により植付爪３を連動させて、植付爪３を駆動するように構成されている。
　【００２８】
　図２に示すように、伝動軸１０と植付ケース８の伝動機構との間に、公知の定位置停止クラッチと同様な各条クラッチ１１が設けられており、各条クラッチ１１により２条分の植付爪３を停止させることができるように構成されて、畦際での少数条植えを行うことができるように構成されている。
　【００２９】
　図１，２，３に示すように、横フレーム７の右側部及び左側部に支柱１２が立設され、前側斜め上方に傾斜して配置される苗のせ台２に対し、苗のせ台２の背面（前側）に沿って前側斜め上方に傾斜して、支柱１２が配置されている。苗のせ台２の背面に連結されたレール１３を左右方向に移動自在に支持する横ステー１２ａが、両方の支柱１２の上部に亘って設けられており、各条クラッチ１１を各別に操作する操作レバー１４が、２本ずつ支柱１２に備えられている。
　【００３０】
　図４及び図５に示すように、支柱１２の横断面形状が略コ字形に形成され、操作レバー１４を上下揺動自在に支持する支軸１５が、支柱１２の内側に直接に取り付けられており、操作レバー１４と各条クラッチ１１とを接続するレリーズワイヤ１６のアウターワイヤ１６ａに対する受け部材１７が、支柱１２の内側に直接に取り付けられ、レリーズワイヤ１６における操作レバー１４側の部分が、支柱１２の内部に配置されている。支柱１２の側面に形成された逆Ｌ字形の案内孔１８に操作レバー１４を貫通させて、支柱１２が操作レバー１４のガイドに兼用されており、上方の切り位置と下方の入り位置とに操作レバー１４が案内されるように構成されている。
　【００３１】
　図１に示すように、苗のせ台２の左右方向への往復横送り駆動は、伝動ケース６の伝動機構による横送り軸１９の往復駆動により行われるように構成されており、苗のせ台２にベルト式の縦送り装置２０が設けられ、苗のせ台２が往復横送り駆動のストロークエンドに到達する毎に、一定距離だけ苗を取り出し口側に送るように縦送り装置２０が駆動される。
　【００３２】
　図１に示すように、２枚のマット状の苗を縦列に載置する苗のせ台２が屈曲形成されて、下端から縦送り装置２０の上方近くまでの下側部分Ｘが、ストレートで従来よりも緩やかな傾斜（５５度未満）に形成されており、縦送り装置２０に対する苗の滑りによる苗送り不良を防止するように構成されている。苗のせ台２の中間部分Ｙが従来よりも急な傾斜に形成されており、苗の滑りを良くして、確実な苗の連続送りが行われるように構成されている。苗のせ台２の上側部分Ｚが従来と同程度に形成されており、上部の苗の荷重で下部の苗の上端が突かれて浮き上がるような現象が防止されるように構成されており、全体として苗のせ台２の前後寸法Ｌが従来と同程度になるように構成されている。
　【００３３】
［別実施例］　植付爪３の設置数、各条クラッチ１１の設置数や操作対象となる植付爪３の数は、適当に変更できる。
　操作レバー１４と各条クラッチ１１とをレリーズワイヤ１６で接続する場合、図６及び図７に示すように、別の各条クラッチ１１に接続された２本のレリーズワイヤ１６を２本の操作レバー１４に、連結位置が操作レバー１４の長手方向に異なるように接続し、支柱１２に略Ｆ字形の案内孔２１を形成して、下方の入り位置で両方の各条クラッチ１１が入り状態になり、一段引き上げた外側切り位置で外側の２条分が停止状態になり、二段引き上げた切り位置で両方の各条クラッチ１１が切り状態となるように構成してもよい。つまり、８条分の植付爪３を４個の各条クラッチ１１で操作するように構成し、４個の各条クラッチ１１を２本の操作レバー１４で操作するようにして、８条植え、左右いずれかの６条植え及び左右いずれかの４条植えの５種類の植付形態から、所望の植付形態を選択できるように構成してもよい。
　【００３４】
　支柱１２の横断面形状を略コ字形に形成する場合、図８に示すようなＣ字形に近い形状にするなど適当に変更できる。又、支柱１２の側面の開口部を開放自在な蓋で閉じてもよい。
　図９に示すように、支柱１２の前面に各条クラッチ１１の操作レバー１４を突出させる案内孔２１を形成する形態で実施することもできる。操作レバー１４の支軸１５、及びレリーズワイヤ１６のアウターワイヤ１６ａに対する受け部材１７を支柱１２の内側に直接に取り付ける構造は、適当に変更できる。
　【００３５】
　尚、特許請求の範囲の項に図面との対照を便利にするために符号を記すが、該記入により本発明は添付図面の構成に限定されるものではない。
【図面の簡単な説明】
　【図１】　乗用型の田植機に連結される苗植付装置の側面図
　【図２】　苗植付装置の平面図
　【図３】　苗植付装置の正面図
　【図４】　図３においてＡ−Ａ方向から見た断面図
　【図５】　図４においてＢ−Ｂ方向から見た断面図
　【図６】　別実施例における支柱付近の縦断正面図
　【図７】　図６においてＣ−Ｃ方向から見た断面図
　【図８】　別実施例における支柱の横断平面図
　【図９】　別実施例における支柱及び操作レバー付近の斜視図
　【符号の説明】
　１　　　リンク装置
　２　　　苗のせ台
　３　　　植付機構
　７　　　横フレーム
　８　　　植付ケース
　１０　　伝動軸
　１２　　支持フレーム
　１２ａ　横ステー